(57)【要約】【課題】摩耗性及び気密性の双方の目標値を満足することができるシールド電線及びワイヤハーネスを提供する。【解決手段】シールド電線１は、電線２，３の周囲を覆ってシールド層を形成する金属箔材４と、これの周囲を覆うシート状部材５と、シート状部材５の周囲に螺旋状に巻き付けられた保護テープ６と、を備え、シート状部材５は、第１のシート材５ａと、第２のシート材５ｂとからなり、それぞれのシート材５ａ，５ｂは、一面に粘着層７ａ，７ｂが形成されると共に、電線２，３の周囲に設けられる金属箔材４の半周距離Ｌｈよりも長い幅Ｌｗを有しており、金属箔材４に対して互いに対向する側から金属箔材４上に貼り付けられ、幅方向にそれぞれはみ出す余長部分８ａ，８ｂにおいて粘着層７ａ，７ｂ同士が拝み貼りされている。【選択図】図３
2016219127.tif 000002
【特許請求の範囲】
【請求項１】
電線と、
前記電線の周囲を覆ってシールド層を形成するシールド部材と、
前記シールド部材の周囲を覆うシート状部材と、
前記シート状部材の周囲に螺旋状に巻き付けられた保護部材と、を備え、
前記シート状部材は、第１のシート材と、第２のシート材とからなり、
それぞれの前記シート材は、一面に粘着層が形成されると共に、前記電線の周囲に設けられる前記シールド部材の半周距離よりも長い幅を有しており、前記シールド部材に対して互いに対向する側から前記シールド部材上に貼り付けられ、幅方向にそれぞれはみ出す余長部分において前記粘着層同士が拝み貼りされている
ことを特徴とするシールド電線。
【請求項２】
前記それぞれの余長部分は、前記シールド部材の前記半周距離よりも長くされ、前記シート材の余長部分以外の部位となる胴部の全域が覆われるように巻き付けられている
ことを特徴とする請求項１に記載のシールド電線。
【請求項３】
前記保護部材は、前記シート状部材の周囲にラップするように螺旋状に巻き付けられて、電線長手方向に亘り２層以上の積層状態となっている
ことを特徴とする請求項１又は請求項２のいずれかに記載のシールド電線。
【請求項４】
前記第１のシート材の余長部分と、前記第２のシート材の余長部分とは、互いにずらされた状態で拝み貼りされており、
一方の余長部分においては前記第１のシート材の粘着層が前記第２のシート材の粘着層と接触しない部位を有し、
他方の余長部分においては前記第２のシート材の粘着層が前記第１のシート材の粘着層と接触しない部位を有する
ことを特徴とする請求項１から請求項３のいずれか１項に記載のシールド電線。
【請求項５】
前記電線は、導体部と被覆部とを備えた被覆電線が複数本撚り合わされてなるツイスト線と、前記ツイスト線に縦添えされたドレイン線とを有する
ことを特徴とする請求項１から請求項４のいずれか１項に記載のシールド電線。
【請求項６】
前記ドレイン線は、導体部と被覆部とを備えた被覆電線からなり、前記シールド部材との接続部において前記被覆部が剥ぎ取られている
ことを特徴とする請求項５に記載のシールド電線。
【請求項７】
請求項１から請求項６のいずれか１項に記載のシールド電線を１回路以上有する
ことを特徴とするワイヤハーネス。
【発明の詳細な説明】
【技術分野】
【０００１】
本発明は、シールド電線及びこれを用いたワイヤハーネスに関する。
【背景技術】
【０００２】
自動車内の電気配線において、ノイズの影響を受け易い又はノイズを発生し易い機器への配線には、信号の伝送等を行う電線の周囲にシールド層（電磁波遮蔽層）を備えたシールド電線が使用される。
【０００３】
このようなシールド電線には、例えば少なくとも１本の電線とドレイン線とからなる複数の電線と、これら複数の電線を覆う導電シートと、保護テープとで構成されるものがある（例えば特許文献１参照）。導電シートは、長尺帯状であって電線に縦添えされた状態で当該電線に巻き付けられており、長手方向に沿った両側の辺縁部同士が上下に重ね合わせられている。また、保護テープは、長尺状のテープであり、導電シートの外周に螺旋状に巻き付けられている。
【０００４】
また、このようなシールド機能を持つ部材としてはシート状の部材以外にも、電線の外周に螺旋状に巻き付けるようなテープ状のものも知られている（例えば特許文献２，３参照）。
【先行技術文献】
【特許文献】
【０００５】
【特許文献１】特開２０１３−４３５４号公報
【特許文献２】特開２００７−２７０５０号公報
【特許文献３】特開２０１１−２２２２６２号公報
【発明の概要】
【発明が解決しようとする課題】
【０００６】
ここで、本件出願人は、特願２０１４−１３４１号に記載のように、シールド電線の発明を見出している。このシールド電線では、電線周囲に設けられる金属箔等のシールド層上に、気密性を確保する（水の浸入を防止する）ためにシート状部材（例えば粘着テープ）を縦添えで貼り合わせ、更にその上から保護部材（例えば粘着テープ）を螺旋状に巻き付けている。
【０００７】
上記に係るシールド電線において、シート状部材は、粘着面が内側に向くようにシールド層上に巻き付けられている。シールド層に巻かれたシート部材の余長部分は、粘着面同士が拝み合わされている。
【０００８】
ここで、上記のシールド電線において、摩耗性を確保するためには、例えば気密性を持たせるためのシート状部材に或る程度の厚みがあるものを採用する必要がある。しかし、厚みを有したシート状部材では拝み合わせて張り合わせた場合に、その曲げ応力が強く、拝み合わせ部分の付け根から剥がれてしまう可能性があった。そして、シート状部材が剥がれてしまった場合には、気密性の目標値を満足することができなかった。
【０００９】
本発明はこのような従来の課題を解決するためになされたものであり、その目的とするところは、摩耗性及び気密性の双方の目標値を満足することが可能なシールド電線及びワイヤハーネスを提供することにある。
【課題を解決するための手段】
【００１０】
本発明のシールド電線は、電線と、前記電線の周囲を覆ってシールド層を形成するシールド部材と、前記シールド部材の周囲を覆うシート状部材と、前記シート状部材の周囲に螺旋状に巻き付けられた保護部材と、を備え、前記シート状部材は、第１のシート材と、第２のシート材とからなり、それぞれの前記シート材は、一面に粘着層が形成されると共に、前記電線の周囲に設けられる前記シールド部材の半周距離よりも長い幅を有しており、前記シールド部材に対して互いに対向する側から前記シールド部材上に貼り付けられ、幅方向にそれぞれはみ出す余長部分において前記粘着層同士が拝み貼りされていることを特徴とする。
【００１１】
本発明のシールド電線によれば、シート状部材は、第１のシート材と、第２のシート材とからなり、電線の周囲に設けられるシールド部材の半周距離よりも長い幅を有しており、シールド部材に対して互いに対向する側からシールド部材に貼り付けられ、幅方向にそれぞれはみ出す余長部分において粘着層同士が拝み貼りされている。このため、１枚のシート材を用いて余長部分を拝み貼りする場合と比較すると、２枚のシート材を用いている分だけ、曲げ応力が弱まり、拝み合わせ部分の付け根から剥がれてしまう可能性が低減する。よって、或る程度の厚みを有したシート材を用いてもシート材が剥がれ難くなり、摩耗性及び気密性の双方の目標値を満足することが可能なシールド電線を提供することができる。
【００１２】
また、本発明のシールド電線において、前記それぞれの余長部分は、前記シールド部材の前記半周距離よりも長くされ、前記シート材の余長部分以外の部位となる胴部の全域が覆われるように巻き付けられていることが好ましい。
【００１３】
このシールド電線によれば、それぞれの余長部分は、シールド部材の半周距離よりも長くされているため、余長部分を周状に１周以上巻くことができ、一層摩耗性を向上させることができる。
【００１４】
また、本発明のシールド電線において、前記保護部材は、前記シート状部材の周囲にラップするように螺旋状に巻き付けられて、電線長手方向に亘り２層以上の積層状態となっていることが好ましい。
【００１５】
このシールド電線によれば、保護部材がラップするように巻き付けられて電線長手方向に亘り連続的に２層以上の積層状態となっているため、２層以上の保護部材によって一層摩耗性を向上させることができる。
【００１６】
また、本発明のシールド電線において、前記第１のシート材の余長部分と、前記第２のシート材の余長部分とは、互いにずらされた状態で拝み貼りされており、一方の余長部分においては前記第１のシート材の粘着層が前記第２のシート材の粘着層と接触しない部位を有し、他方の余長部分においては前記第２のシート材の粘着層が前記第１のシート材の粘着層と接触しない部位を有することが好ましい。
【００１７】
このシールド電線によれば、第１のシート材の余長部分と第２のシート材の余長部分とは、互いにずらされた状態で貼り付けられている。このため、一方のシート材の粘着層のうち他方のシート材の粘着層と接触しない部位を利用して、それぞれの余長部分を周状に巻いて接着することができる。これにより、２箇所の接着領域が追加されることとなり、一層防水性に優れたシールド電線とすることができる。
【００１８】
また、本発明のシールド電線において、前記電線は、導体部と被覆部とを備えた被覆電線が複数本撚り合わされてなるツイスト線と、前記ツイスト線に縦添えされたドレイン線とを有することが好ましい。
【００１９】
このシールド電線によれば、電線は、被覆電線が複数本撚り合わされてなるツイスト線と、ツイスト線に縦添えされたドレイン線とを有するため、ツイスト線及びドレイン線を備えるシールド電線において摩耗性及び気密性の双方の目標値を満足させることができる。
【００２０】
また、本発明のシールド電線において、前記ドレイン線は、導体部と被覆部とを備えた被覆電線からなり、前記シールド部材との接続部において前記被覆部が剥ぎ取られていることが好ましい。
【００２１】
このシールド電線によれば、ドレイン線はシールド部材との接続部において被覆部が剥ぎ取られているため、接続部以外の部分は被覆されており、当該部分によりシールド部材を傷つけ難くすることができる。
【００２２】
また、本発明のワイヤハーネスは、上記に記載のシールド電線を１回路以上有することを特徴とする。
【００２３】
本発明のワイヤハーネスによれば、上記に記載のシールド電線を１回路以上有するため、自動車のエンジンルーム等、雨水に晒され且つ振動が加わるような環境に適したシールド電線を有するワイヤハーネスを提供することができる。
【発明の効果】
【００２４】
本発明によれば、摩耗性及び気密性の双方の目標値を満足することができるシールド電線及びワイヤハーネスを提供することができる。
【図面の簡単な説明】
【００２５】
【図１】本発明の実施形態に係るシールド電線を含むワイヤハーネスである。
【図２】図１に示したシールド電線を示す斜視図である。
【図３】図２に示したシールド電線のＡ−Ａ断面図である。
【図４】本実施形態に係るシールド電線の断面図である。
【図５】実施例に係るシールド電線と比較例に係るシールド電線との気密性及び摩耗性を示す図である。
【図６】本実施形態に係るシールド電線の変形例を示す断面図である。
【発明を実施するための形態】
【００２６】
以下、本発明の好適な実施形態を図面に基づいて説明するが、本発明は以下の実施形態に限られるものではなく、本発明の趣旨を逸脱しない範囲で適宜変更可能である。
【００２７】
図１は、本発明の実施形態に係るシールド電線を含むワイヤハーネスである。図１に示すように、ワイヤハーネスＷＨは、複数の電線Ｗを束にしたものであり、複数の電線Ｗの少なくとも１本（１回路）が以下に詳細説明するシールド電線１により構成されている。このようなワイヤハーネスＷＨは、例えば図１に示すように電線Ｗの両端部にコネクタＣを備えていてもよいし、複数の電線Ｗをまとめるためにテープ巻き（図示せず）されていてもよい。また、ワイヤハーネスＷＨは、コルゲートチューブ等の外装部品（図示せず）を備えていてもよい。
【００２８】
図２は、図１に示したシールド電線１を示す斜視図である。本実施形態に係るシールド電線１は、複数（本実施形態では３本）の被覆電線２と、ドレイン線３と、金属箔材（シールド部材）４と、シート状部材５と、保護テープ（保護部材）６とで構成されている。
【００２９】
被覆電線２は、芯線（導体部）の周囲を絶縁被覆（被覆部）で覆ったものであり、シールド層を有していない電線である。本実施形態において、３本の被覆電線２は、所定の撚りピッチで撚り合わされており、一つの電線束に纏められてツイスト線を構成している。
【００３０】
ドレイン線３は、被覆電線２の芯線と略同一断面積の裸電線であり、長さが被覆電線２と略同一に設定されている。ドレイン線３は、３つの被覆電線２からなるツイスト線に縦添えされている。
【００３１】
各被覆電線２の端部、及びドレイン線３の端部には、それぞれ接続端子（図示せず）が接続されている。ドレイン線３は、各被覆電線２の端部側に位置する機器等の接地部に接地接続される。
【００３２】
なお、本実施形態においては、ドレイン線３が裸電線である例を示しているが、これに限らず、導体部と被覆部とを有する被覆電線で構成されてもよい。また、ドレイン線３が被覆電線である場合、ドレイン線３は金属箔材４との接続部において被覆部が剥ぎ取られることとなる。
【００３３】
金属箔材４は、３つの被覆電線２及びドレイン線３の周囲（複数の電線の周囲）を覆ってシールド層を形成するものである。このような金属箔材４は、例えば絶縁材料であるポリエチレンフィルムの片面に金属箔層（例えばアルミニウム箔層）を設けて構成されている。当該金属箔層はシールド層として機能する。金属箔材４は、金属箔層を内側に向けて、被覆電線２及びドレイン線３の外周に巻き付けられる。巻き付けられた金属箔材４は、金属箔層がドレイン線３に接触することにより、ドレイン線３に導通状態になる。なお、３つの被覆電線２及びドレイン線３からなる電線束と、金属箔材４との間には、導電性接着剤（図示せず）が充填され、金属箔層とドレイン線３との導通状態の安定性が高められていることが好ましい。
【００３４】
シート状部材５は、金属箔材４の周囲を覆うものであり、磨耗性及び気密性の観点から設けられている。図３は、図２に示したシールド電線１のＡ−Ａ断面図である。シート状部材５は、第１のシート材５ａと第２のシート材５ｂとの２枚のシート材５ａ，５ｂからなっている。
【００３５】
それぞれのシート材５ａ，５ｂは、ポリエチレンテレフタレートフィルムの一面に接着剤が塗布されて粘着層７ａ，７ｂが形成された粘着テープ又は粘着シートであって、所定の厚さ（０．０１ｍｍ以上０．１９ｍｍ以下）を有したものとなっている。
【００３６】
また、それぞれのシート材５ａ，５ｂは、電線２，３の周囲に設けられる金属箔材４の半周距離Ｌｈよりも長い幅Ｌｗを有しており、金属箔材４に対して互いに対向する側から金属箔材４に対して貼り付けられる構成となっている。そして、それぞれのシート材５ａ，５ｂは、幅方向にそれぞれはみ出す余長部分８ａ，８ｂにおいて粘着層７ａ，７ｂが相手側粘着層７ｂ，７ａに拝み張りされている。
【００３７】
図２に示すように、保護テープ６は、長尺上のテープであり、シート状部材５の外周に螺旋状に巻き付けられている。保護テープ６としては、テープ素材の内面に粘着層を形成した粘着テープなどを利用することができる。また、保護テープ６は、シート状部材５の周囲において自己に重なるように、すなわちラップするように螺旋状に巻き付けられて、電線長手方向に亘り連続的に２層以上の積層状態となっている。例えば保護テープ６は、テープ幅方向にハーフラップするように巻きつけられ２層の積層状態となっていたり、テープ幅方向に３分の２ラップするように巻きつけられ３層の積層状態となっていたりする。
【００３８】
次に、本実施形態に係るシールド電線１の製造方法を説明する。まず、３本の被覆電線２と、１本のドレイン線３とを用意する。３本の被覆電線２を所定の撚りピッチで撚り合わさることで、ツイスト線を作成し、ツイスト線にドレイン線３を縦添えする。
【００３９】
次に、金属箔材４を用意し、金属箔層を内側に向けた状態において金属箔材４を電線２，３の外周に巻き付ける。この金属箔材４は、長手方向に沿った両側の辺縁部同士が上下に重なるように巻き付けられる。
【００４０】
そして、金属箔材４に対してシート状部材５を取り付ける。このとき、第１のシート材５ａと第２のシート材５ｂとを互いに対向する側から取り付ける。各シート材５ａ，５ｂは、金属箔材４の半周距離Ｌｈよりも長い幅Ｌｗを有しているため、両端側においてそれぞれ余長部分８ａ，８ｂが生じる。これら余長部分８ａ，８ｂについては、粘着層７ａ，７ｂ同士が引っ付くように拝み張りされる。
【００４１】
この状態においては、図２及び図３に示すように、余長部分８ａ，８ｂの内面同士が接着されて、余長部分８ａ，８ｂが立ち上げられた状態となっている。このため、この立ち上げ部分を電線胴部（シート状部材５の外面）９に沿うように折り曲げる（図２及び図３に示す矢印方向に折り曲げる。）。そして、余長部分８ａ，８ｂが折り曲げられた状態において、保護テープ６を螺旋状に巻きつける。これにより、図４に示すシールド電線１を得る。
【００４２】
図４は、本実施形態に係るシールド電線１の断面図である。図４に示すように、余長部分８ａ，８ｂが電線胴部９に沿うように折り曲げられており、余長部分８ａ，８ｂによっても内部の電線２，３及び金属箔材４が保護された状態となっている。
【００４３】
ここで、図３からも明らかなように、それぞれの余長部分８ａ，８ｂの長さＬａは、金属箔材４の半周距離Ｌｈよりも長くされ、シート材５ａ，５ｂの余長部分８ａ，８ｂ以外の部位となる胴部９の全域が覆われるように巻き付けられていることが好ましい。これにより、双方の余長部分８ａ，８ｂを利用して、余長部分８ａ，８ｂを周状に１周以上巻くことができ、一層磨耗性を向上させることができるからである。
【００４４】
次に、実施例に係るシールド電線と比較例に係るシールド電線との気密性及び摩耗性について説明する。図５は、実施例に係るシールド電線１と比較例に係るシールド電線との気密性及び摩耗性を示す図である。
【００４５】
図５に示すように、比較例１，２に係るシールド電線は、シート状部材に１枚のシート材を用いるものであり、１枚のシート材を金属箔材上に１周巻きすると共に、余長部分の粘着層同士が重なるように拝み貼りしたものである。比較例１，２のシールド電線はシート材の厚さが異なっており、比較例１においてシート材の厚さは０．１ｍｍであり、比較例２においてシート材の厚さは０．３ｍｍである。一方、実施例においてシート材５ａ，５ｂは０．１ｍｍ厚のものを用いている。
【００４６】
このような実施例及び比較例１，２に係るシールド電線のうち、シート状部材まで作成したもの（すなわち保護部材が無いもの）と、保護部材まで作成したもの（すなわち最終製品）とに対し、気密性試験と、摩耗性試験を行った。
【００４７】
気密性試験については、シールド電線の一端を気密シールして密封して水で満たされた水槽内に浸し、他端から圧縮空気１０ｋＰａ（０．１ｋｇｆ／ｃｍ２）を送り込む方法で行った。詳細には、最初に１０ｋＰａ圧縮空気を３０秒送り込み、漏れが無い場合（すなわち電線一端側から泡が吹き出さない場合）は、１０ｋＰａ昇圧させた圧縮空気を送り込む。そして、漏れが無い限り、１０ｋＰａずつ昇圧させた圧縮空気を送り込み、空気漏れ時の圧縮空気圧を測定した。
【００４８】
なお、図５においては、気密性目標値１００ｋＰａ以上を「○」とし、１００ｋＰａ未満を「×」とした。
【００４９】
摩耗性試験については、ＩＳＯ６７２２  ５．１２に記載の摩耗試験に準拠して行い、ニードルと金属箔材とが導通するまで往復回数を測定した。試験条件として、ニードル径は（０．４５±０．０１）ｍｍであり、頻度は（５５±５）往復／ｍｉｎである。ニードル移動は（２０±１）ｍｍであり、摩耗長さは（１５．５±１）ｍｍであり、垂直力は７Ｎであり、マンドレル径はφ５である。
【００５０】
なお、図５においては、摩耗性目標値１００回以上を「○」とし、１００回未満を「×」とした。
【００５１】
実施例に係るシールド電線では、シート状部材までの状態で気密性が５８．８ｋＰａであった。また、シート状部材上から摩耗性試験を行った結果、１０回の往復でニードルが金属箔材と導通してしまった。しかし、保護部材までの状態では、気密性が２００ｋＰａ以上となり、摩耗性が５１２回となった。
【００５２】
一方、比較例１に係るシールド電線では、シート状部材までの状態で気密性が５８．８ｋＰａであった。また、シート状部材上から摩耗性試験を行った結果、１０回の往復でニードルが金属箔材と導通してしまった。さらに、保護部材までの状態では、気密性が２００ｋＰａ以上となり、摩耗性が４５回となった。
【００５３】
また、比較例２に係るシールド電線では、シート状部材までの状態で気密性試験を行うことができなかった。これは、シート状部材が０．３ｍｍと厚すぎであり拝み貼り部分が剥がれてしまうからである。また、シート状部材上から摩耗性試験を行った結果、１５２回の往復でニードルが金属箔材と導通してしまった。保護部材までの状態では、気密性が７８ｋＰａとなり、摩耗性が１２００回となった。
【００５４】
このように、実施例に係るシールド電線では、気密性目標値及び摩耗性目標値を達成できることがわかった。これに対して、比較例１に係るシールド電線では、摩耗性目標値を達成できなかった。実施例に係るシールド電線では余長部分が胴部に対して１周巻きされているのに対して、比較例１ではこのような構成が存在しないからである。なお、実施例に係るシールド電線では余長部分が１周巻きされているが、これに代えて、又は加えて、保護テープが２層以上となるように巻き付けられた場合においても同様に気密性目標値及び摩耗性目標値を達成できる。よって、保護テープがハーフラップ巻き以上されていれば、余長部分が１周巻きされていなくとも、気密性目標値及び摩耗性目標値を満足できる。
さらに、比較例２に係るシールド電線では、気密性目標値を達成できなかった。比較例２に係るシールド電線はシート状部材が厚く拝み貼り部分が剥がれてしまうからである。
【００５５】
このようにして、本実施形態に係るシールド電線１によれば、シート状部材５は、第１のシート材５ａと、第２のシート材５ｂとからなり、電線２，３の周囲に設けられる金属箔材４の半周距離Ｌｈよりも長い幅Ｌｗを有しており、金属箔材４に対して互いに対向する側から金属箔材４に貼り付けられ、幅方向にそれぞれはみ出す余長部分８ａ，８ｂにおいて粘着層７ａ，７ｂ同士が拝み貼りされている。このため、１枚のシート材を用いて余長部分８ａ，８ｂを拝み貼りする場合と比較すると、２枚のシート材５ａ，５ｂを用いている分だけ、曲げ応力が弱まり、拝み合わせ部分の付け根から剥がれてしまう可能性が低減する。よって、或る程度の厚みを有したシート材５ａ，５ｂを用いてもシート材５ａ，５ｂが剥がれ難くなり、摩耗性及び気密性の双方の目標値を満足することが可能なシールド電線１を提供することができる。
【００５６】
また、それぞれの余長部分８ａ，８ｂは、金属箔材４の半周距離Ｌｈよりも長くされているため、この余長部分８ａ，８ｂを周状に１周以上巻くことができ、一層摩耗性を向上させることができる。
【００５７】
また、保護テープ６がラップするように巻き付けられて電線長手方向に亘り連続的に２層以上の積層状態となっているため、２層以上の保護テープ６によって一層摩耗性を向上させることができる。
【００５８】
また、電線２，３は、被覆電線２が複数本撚り合わされてなるツイスト線と、ツイスト線に縦添えされたドレイン線３とを有するため、ツイスト線及びドレイン線３を備えるシールド電線１において摩耗性及び気密性の双方の目標値を満足させることができる。
【００５９】
また、ドレイン線３は金属箔材４との接続部において被覆部が剥ぎ取られているため、接続部以外の部分は被覆されており、当該部分により金属箔材４を傷つけ難くすることができる。
【００６０】
また、本実施形態に係るワイヤハーネスＷＨによれば、上記に記載のシールド電線１を１回路以上有するため、自動車のエンジンルーム等、雨水に晒され且つ振動が加わるような環境に適したシールド電線を有するワイヤハーネスを提供することができる。
【００６１】
以上、実施形態に基づき本発明を説明したが、本発明は上記実施形態に限られるものではなく、本発明の趣旨を逸脱しない範囲で、変更を加えてもよい。
【００６２】
例えば、本実施形態に係るシールド電線１は、上記したものに限らず、種々の変更が可能である。例えば、内部の電線２，３は、ツイスト線を備えなくともよく、単線であってもよいし、単に撚り合わされていない状態であってもよい。
【００６３】
さらに、本実施形態に係るシールド電線１は図６に示すようになっていてもよい。図６は、本実施形態に係るシールド電線１の変形例を示す断面図である。図６に示すように、第１のシート材５ａの余長部分８ａと、第２のシート材５ｂの余長部分８ｂとは、互いにずらされた状態で拝み貼りされている。このため、一方の余長部分８ａ，８ｂにおいては第１のシート材５ａの粘着層７ａが第２のシート材５ｂの粘着層７ｂと接触しない部位を有し、他方の余長部分８ａ，８ｂにおいては第２のシート材５ｂの粘着層７ｂが第１のシート材５ａの粘着層７ａと接触しない部位を有している。よって、接触しない部位（粘着層７ａ，７ｂ）が内側となるように余長部分８ａ，８ｂを巻き付けることで、更に２箇所の接着領域が追加されることとなり、一層防水性に優れたシールド電線１とすることができるからである。
【００６４】
ここで、図６に示すシールド電線１において、シート材５ａ，５ｂが金属箔材４の半周距離Ｌｈよりも長い幅Ｌｗを有していることは言うまでもない。また、図６に示すシールド電線１において余長部分８ａ，８ｂの長さＬａは、半周距離Ｌｈよりも長くされていることが好ましい。これによっても余長部分８ａ，８ｂを周状に１周以上巻くことができ、一層摩耗性を向上させることができるからである。
【符号の説明】
【００６５】
１    ：シールド電線
２    ：被覆電線
３    ：ドレイン線
４    ：金属箔材（シールド部材）
５    ：シート状部材
５ａ  ：第１のシート材
５ｂ  ：第２のシート材
６    ：保護テープ（保護部材）
７ａ，７ｂ  ：粘着層
８ａ，８ｂ  ：余長部分
９    ：胴部
Ｃ    ：コネクタ
Ｌａ  ：余長部分の長さ
Ｌｈ  ：半周距離
Ｌｗ  ：幅
ＷＨ  ：ワイヤハーネス
【図１】
2016219127.tif 000003
【図２】
2016219127.tif 000004
【図３】
2016219127.tif 000005
【図４】
2016219127.tif 000006
【図５】
2016219127.tif 000007
【図６】
2016219127.tif 000008